(57)【要約】【課題】  磁気治療用具内の磁性体の可動範囲を広げ、磁気の流れを流動的に変化させ、磁気治療器の血行促進・マッサージ効果を十分にし、局所的な磁気の集中を防ぎかつ磁気治療器の変形を防止する、磁気治療器の効果性と安全性を高めるものである。【解決手段】  磁気治療器は２つ以上の上面と底面に極を有する円盤状の磁性体１と表装部２と基部３と接着部４からなり、表装部２と基部３の間の空間である小室部５に、円盤状の磁性体１を上面が同極になるように入れている。【選択図】図２
2008080070.tif 000002
【特許請求の範囲】
【請求項１】
磁気治療用具本体は表面部と基部と装着体と２つ以上の上面と底面に極を有する円盤状の磁性体から成り、表面部と基部の間には空間を形成する隙間によって小室部を形成し、２つ以上の円盤状の磁性体が上面が同極になるようにその小室部に遊動するように入っている磁気治療用具。
【請求項２】
磁気治療用具本体は表面部と基部と装着体と２つ以上の上面と底面に極を有する円盤状の磁性体から成り、表面部と基部の間には空間を形成する隙間によって小室部を形成し、そのような小室部が基部上に複数並存しており、それぞれの小室部に、円盤状の磁性体が上面が同極になるように一つずつ遊動するように入っている磁気治療用具。
【発明の詳細な説明】
【技術分野】
【０００１】この発明は二つ以上の上面と底面に極を有する磁性体を同極が上面になるように配置した、磁気治療用具に関するものである。
【背景技術】
【０００２】従来肌や衣服に着脱する仕組みの磁気治療用具は粘着性のテープや面ファスナー等の接着体に磁性体を一つもしくは複数固着させる構造になっている。
【発明の開示】
【発明が解決しようとする課題】
【０００３】しかしこれらの磁気治療用具は磁性体の相互作用を効果的に利用しているとはいえないものであった。磁性体一つのものは当然考慮しておらず、複数使用するものでも磁性体の相互作用を単に効果の及ぶ範囲を加算的に広げる以外は考慮されていない。すなわち複数の磁性体を使用してもせっかくの同極同士の反発作用とそこから導出される物理的力を利用していない。また磁性体そのものの可動性が著しく乏しいため、装着した箇所に磁力が集中し、その部分にコリを感じてしまうので、その副作用も大きかった。【０００４】本発明はこれらの短所を克服し、磁気治療用具内の磁性体の可動範囲を広げ、磁気の流れを流動的に変化させ、磁気治療器の血行促進・マッサージ効果を十分にし、局所的な磁気の集中を防ぎかつ磁気治療器の変形を防止する、磁気治療器の効果性と安全性を高めるものである。
【課題を解決するための手段】
【０００５】磁気治療器は２つ以上の上面と底面に極を有する円盤状の磁性体１と表装部２と基部３と接着体４を有する。【０００６】表装部１と基部２の間に空間を形成する隙間である小室部５ができている。その小室部５に、複数の、上面と底面に極を有する円盤状の磁性体１、が上面が同極になるように遊動するように入っている。【０００７】請求項２においては表装部１と基部２の間に空間を形成する隙間である小室部５が基部上に複数並存している。そしてその各々の小室部５に上面と底面に極を有する円盤状の磁性体１がひとつずつ入っており、全体としては円盤状の磁性体１はすべて上面が同極になるように配置されている。【０００８】小室部５の高さは円盤状の磁性体１の直径よりは小さくする。こうすることによって、磁性体１が遊動する際にひっくり返って、上面と底面が逆転することを阻止することができる。【０００９】磁気治療器本体には粘着性シートやマジックテープの雄片等の接着体４が基部２に接合される形で備わっている。【００１０】本発明は以上のような構成よりなる磁気治療用具である。
【発明の効果】
【００１１】  この２つ以上の磁性体の相互作用により、磁気治療器として以下の効果をあげる。
本発明の構成によって、円盤状の磁性体１は小室部５の内部では基部２に対して水平方向に自在に遊動しながら、全体としては磁力の反発という相互作用を相互に及ぼしあっている。【００１２】  すなわち、磁気の同極の反発力により、きわめてごくわずかな振動で磁性体１が反発しながら遊動するので、特定の箇所に磁気の流れが偏るということがなく、広く安全に磁気の効果を人体に作用させることができる。また、磁性体１の遊動によりマッサージ効果も及ぼすことができる。さらに複数の磁気が反発しあっているので、磁気の流れ自体が流動的にかつ広範囲に変化する。【００１３】  そして、小室部５にある磁性体１は上面どうし、もしくは底面どうしで同じ極を有し反発するように配置されている。これにより磁気治療用具全体が折れ曲がった時は、磁性体１の上面どうしまたは底面どうしが向き合う事にあるが、磁気の同極どうしの反発作用により、上面どうし又は底面どうしが離れようとする力が動くので、磁気治療用具全体としては元の形に戻ろうとする復元力が働くことになる。またその復元力自体もバネといった機械的な仕組みによる復元とは異なってきわめて緩やかな力である。【００１４】  人体に触れるように装着される磁気治療用具において、変形と急激な復元は、とりわけ使用中には、人体への安全性から望ましくないので、人体への安全性からも従来の磁気治療器から改善された点といえる。【００１５】  すなわち本考案により、磁気治療器全体として、磁性体１の反発作用による磁性体自身の遊動の増幅によるマッサージ効果と、反発ならではの磁気の流れ、加えてその磁気の流動性を新しく提供できる。その上磁気治療器の適度な復元力による磁気治療器の変形の防止をもたらすことができる。【００１６】  よって、磁性体を一つ装着体に設置したものと比べると複数の磁気の相互作用と磁性体の物理的遊動という点から本考案は大きく従来品から発展したものである。また、複数の磁性体を設置した従来の磁気治療用具と比べると従来品は単に磁性体を一つ設置した磁気治療器を加算的に範囲を広げる以上の効果を期待できないが、本考案により、磁性体相互の作用力を最大限引き出した磁気の流れの流動的変化のみならず、磁気の同極の反発力による物理的力によるマッサージ効果と磁気健康器具の変形の防止という、乗算的効果を期待することができるようになる。【００１７】  図３では磁気治療用具は２つに区切られているが、区切り部分を図４のように増やせば碁盤目状に形成できるので２つ以上の磁性体１で相互作用を及ぼすことができ、磁気治療器としての効果は単に加算的な効果以上の効果を一層高めることができる。【００１８】  また接着体４は磁気治療器を肌や衣服等装着する対象に応じて粘着性シートやマジックテープの雄片を使用する。
【発明を実施するための最良の形態】
【００１９】（イ）表装部２と基部３を、空間を形成する隙間ができるように、表装部２にたわみを持たせるか、あらかじめ表装部２を形成して、重ねあわせる。
（ロ）表装部２と基部３の間に、複数の、上面と底面に極を有する円盤状の磁性体１、を上面が同極になるように配置する。
（ハ）磁性体１が基部３上をある程度動く余裕ができるように、磁性体１の位置を、空間部分である小室部５に内含されるように調整し、小室部５となる部分の周囲を接着や癒着、縫製といった手段で囲むようにして表装部２と基部３を接合する。
（ニ）基部３の下に接着体４を接合する。【００２０】  図１のように小室部５が二つもしくは二つ以上の磁性体を囲むように表装部２と基部３を接合することにより、請求項１で要求する構造である、ひとつの小室部５に複数の磁性体１が反発しながら遊動するような構造となる。【００２１】  小室部５が一つの磁性体１を囲むように表装部２と基部３を接合することにより、各小室部５に磁性体１が一つ収容され、小室部５の壁を越えて磁性体１が相互作用を起こす請求項２で要求する構造となる。【００２２】  なお小室部５の高さは、磁性体１が誘導する際に、上面と底面が逆転し極が入れ替わることの無いように、円盤状の磁性体１の直径よりは小さくする。
【図面の簡単な説明】
【００２３】
【図１】本発明の一実施例を示す断面図である。
【図２】本発明の一実施例を示す断面図である。
【図３】本発明の一実施例を示す正面図である。
【図４】本発明の一実施例を示す正面図である。
【符号の説明】
【００２４】  １  磁性体
２  表装部
３  基部
４  接着体
５  小室部
【図１】
2008080070.tif 000003
【図２】
2008080070.tif 000004
【図３】
2008080070.tif 000005
【図４】
2008080070.tif 000006